(57)【要約】【課題】会員が所有する会員カードに記録された貯玉データ或いはサービスポイントを利用料として適用可能させることができるデビット利用料徴収システムを提供する。【解決手段】会員カードの会員コードに関連付けて記録した会員情報を管理する会員管理ＴＣ１１と、デビット決済処理をおこなうとともに、会員コードに関連付けられた会員情報を取得可能なデビット子機７０と、デビット決済時に遊技客に対して徴収する利用料を設定する利用料設定部８０と、プリペイドカードの発行をおこなうカード発行機４０と、会員或いは一般遊技客が獲得したパチンコ玉の計数をおこなう計数機１２とを備え、会員カードには、貯玉データ或いはサービスポイントが記録されるとともに、デビット子機７０は、貯玉データ或いはサービスポイントを利用料として適用可能とする対応付け部８１を備える。【選択図】      図８
2004303046.tif 000002
【特許請求の範囲】
【請求項１】
デビットカードを用いてデビット決済をおこなう第一決済手段と、会員用記録媒体に記録された有価価値に相当するデータをデビット決済にともなう利用料として対応可能な第二決済手段とを備えたデビット利用料徴収システムであって、
前記第一決済手段によるデビット決済時の利用料は、前記第二決済手段により利用料として対応付けられる前記有価価値に相当するデータとして用いることを特徴とするデビット利用料徴収システム。
【請求項２】
前記有価価値に相当するデータは、貯玉データ或いはサービスポイントであることを特徴とする請求項１に記載のデビット利用料徴収システム。
【請求項３】
会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、
前記会員用記録媒体には、会員情報として会員が獲得した貯玉データ或いはサービスポイントが記録されるとともに、
前記デビット処理装置は、前記貯玉データ或いはサービスポイントを利用料として適用可能な対応付け手段を備えることを特徴とするデビット利用料徴収システム。
【請求項４】
前記対応付け手段により利用料として適用する貯玉データ或いはサービスポイントは、利用料の一部または全部に対して適用されることを特徴とする請求項３に記載のデビット利用料徴収システム。
【請求項５】
前記対応付け手段は、利用料を貯玉データ或いはサービスポイントに応じて利用料を減算する機能を備えることを特徴とする請求項３または４に記載のデビット利用料徴収システム。
【請求項６】
会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、
前記計数機は、前記遊技媒体の総数を数量データとして印字するレシート発行機能を備え、前記デビット処理装置は、前記レシートに印字された数量データを読み取るとともに、取得した数量データを利用料として適用可能とする機能を備えることを特徴とするデビット利用料徴収システム。
【請求項７】
会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、
前記計数機は、前記遊技媒体の総数を数量データとして記録媒体に記録する計数記録機能を備え、前記デビット処理装置は、前記記録媒体に記録された数量データを読み取るとともに、当該取得した数量データを任意の識別番号に関連付けて利用料として適用可能とする機能を備えることを特徴とするデビット利用料徴収システム。
【請求項８】
会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、
前記計数機は、前記遊技媒体の総数を数量データとして前記デビット決済処理装置に対して通信する通信機能を備え、前記デビット決済処理装置は、前記計数機から通信により取得した数量データを利用料として適用可能とする機能を備えることを特徴とするデビット利用料徴収システム。
【請求項９】
会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、
前記デビット処理装置は、前記遊技媒体の総数を数量データとして計数する計数機能を備えるとともに、取得した数量データを利用料として適用可能とする機能を備えることを特徴とするデビット利用料徴収システム。
【発明の詳細な説明】
【０００１】
【発明の属する技術分野】
本発明は、デビットカードを使用するデビット決済により利用料を徴収するデビット利用料徴収システムに関し、特に会員が保有する貯玉データ或いはサービスポイントを利用料として適用させ徴収することができるデビット利用料徴収システムに関する。
【０００２】
【従来の技術】
現在、パチンコ機などの遊技機を設置した遊技店で遊技をおこなう場合には、カード発行機から一旦記録媒体（例えば、プリペイドカード）を購入し、このプリペイドカードに付与された有価対応（購入金額）に応じて遊技媒体（例えば、パチンコ玉）を借り受けるプリペイドカードを使用したプリペイドカード発行システムが主流である。また、プリペイドカードに付与する有価対応は会員が所有する会員カードに関連付けて付与することもでき、会員は会員カードを使用して度数分の遊技をおこなうことができる。
【０００３】
ここで、プリペイドカードの残額（度数）が無くなり、遊技客が新たに新規のプリペイドカードを購入をおこなう際、現金の持ち合わせが無い場合には、その都度銀行に行って現金を引き出してくる等の手間や不都合がある。このため、現在では、遊技店内にデビット決済用のデビット端末を設置し、デビットカード（銀行や郵便局などで使用するキャッシュカード）を用いるデビット決済により遊技客の希望金額分のプリペイドカードを発行するデビット決済によるデビットカードシステムが考案されている。
【０００４】
このデビットカードシステムは、遊技客がデビットカードを使用して自身の口座から購入したプリペイドカードの有価対応分とデビット決済にともなう利用料を加算した引き落としをおこない、このプリペイドカードを使用してパチンコ玉を借り受けて遊技をおこなうものである。
【０００５】
すなわち、遊技店は、遊技客がデビット決済によりプリペイドカードを購入する際には、利用料を徴収できるようになっている。この利用料の徴収は、プリペイドカードの購入金額に利用料を加算し、その合計金額を銀行から引き落とす即時決済をおこなっている。以上のように、遊技客にとっては、デビット決済時には、利用料の徴収による負担が生じることから、デビットカードの利用が減少する恐れがある。
【０００６】
このため、上述のような、利用料に関する問題を解決する従来技術として、遊技店に対する利用状況（来店回数）や遊技客が会員などの場合に、その割り引き条件を設定することにより、遊技客の負担を軽減する提案が開示されている（特願２００２−５３１４号）。
【０００７】
【発明が解決しようとする課題】
ところが、上述した利用料を設定している遊技店で遊技をおこなう遊技客は、プリペイドカードの購入金額とは別に、銀行口座から利用料が加算され引き落とされるため、遊技客にとってはデビットカードの利用を躊躇させる原因となっていた。このため、利用料を設定している遊技店は、利用料を設定していない遊技店よりデビットカードの利用率が低下するという問題がある。一方、これとは反対に利用料を設定していない遊技店では、遊技客の負担が減るためデビットカードの利用率が低下するという問題はないが、デビット決済に関する手数料の支払いは、全て遊技店の負担となってしまうため、遊技店にとって金銭的な負担が大きくなるという問題がある。
【０００８】
また、会員が所有する貯玉やサービスポイントは、まとまった量であれば交換することができるが、少量では活用しにくいため、利便性の点で問題がある。
【０００９】
また、一般遊技客は獲得した遊技媒体（パチンコ玉）を計数機により計数した後、欲しい景品に交換するものとなるが、この場合、景品に交換できない余り玉は不必要な菓子類などの小景品に交換することとなるため、この余り玉などは有効活用できないうえ無駄となってしまうという問題がある。
【００１０】
この発明は、上述した従来技術による問題点を解決するためになされたもので、会員が保有する貯玉或いはサービスポイントを利用料として適用可能とすることにより利用料を現金以外で支払うことができるデビット利用料徴収システムに関する。
【００１１】
【課題を解決するための手段】
請求項１に記載の発明は、デビットカードを用いてデビット決済をおこなう第一決済手段と、会員用記録媒体に記録された有価価値に相当するデータをデビット決済にともなう利用料として対応可能な第二決済手段とを備えたデビット利用料徴収システムであって、前記第一決済手段によるデビット決済時の利用料は、前記第二決済手段により利用料として対応付けられる前記有価価値に相当するデータとして用いることを特徴とする。
【００１２】
請求項２に記載の発明は、請求項１に記載の発明において、前記有価価値に相当するデータは、貯玉データ或いはサービスポイントであることを特徴とする。
【００１３】
請求項３に記載の発明は、会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、前記会員用記録媒体には、会員情報として会員が獲得した貯玉データ或いはサービスポイントが記録されるとともに、前記デビット処理装置は、前記貯玉データ或いはサービスポイントを利用料として適用可能な対応付け手段を備えることを特徴とする。
【００１４】
請求項４に記載の発明は、請求項３に記載の発明において、前記対応付け手段により利用料として適用する貯玉データ或いはサービスポイントは、利用料の一部または全部に対して適用されることを特徴とする。
【００１５】
請求項５に記載の発明は、請求項３または４に記載の発明において、前記対応付け手段は、利用料を貯玉データ或いはサービスポイントに応じて利用料を減算する機能を備えることを特徴とする。
【００１６】
請求項６に記載の発明は、請求項１に記載の発明において、会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、前記計数機は、前記遊技媒体の総数を数量データとして印字するレシート発行機能を備え、前記デビット処理装置は、前記レシートに印字された数量データを読み取るとともに、取得した数量データを利用料として適用可能とする機能を備えることを特徴とする。
【００１７】
請求項７に記載の発明は、会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、前記計数機は、前記遊技媒体の総数を数量データとして記録媒体に記録する計数記録機能を備え、前記デビット処理装置は、前記記録媒体に記録された数量データを読み取るとともに、当該取得した数量データを任意の識別番号に関連付けて利用料として適用可能とする機能を備えることを特徴とする。
【００１８】
請求項８に記載の発明は、会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、前記計数機は、前記遊技媒体の総数を数量データとして前記デビット決済処理装置に対して通信する通信機能を備え、前記デビット決済処理装置は、前記計数機から通信により取得した数量データを利用料として適用可能とする機能を備えることを特徴とする。
【００１９】
請求項９に記載の発明は、会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、前記デビット処理装置は、前記遊技媒体の総数を数量データとして計数する計数機能を備えるとともに、取得した数量データを利用料として適用可能とする機能を備えることを特徴とする。
【００２０】
【発明の実施の形態】
以下に添付図面を参照して、この発明に係るデビット利用料徴収システムの好適な実施の形態を詳細に説明する。なお、以下に示す実施の形態では、本発明をパチンコ遊技に適用した場合を示すが、パチンコ遊技のみならずパチスロ遊技などにおいても本発明を適用することができる。
【００２１】
図１は、本発明の実施の形態であるデビット利用料徴収システムの全体構成を示すブロック図である。なお、本実施の形態で使用される記録媒体としては、会員管理に利用される会員カードＭＣや、通常のプリペイドカードである一般カードＢＣを用いた場合を説明する。また、デビットカードとしては、銀行や郵便局などで使用するキャッシュカードを適用する。
【００２２】
会員カードＭＣは、住所や氏名等の会員情報を登録した会員である遊技客に対して遊技店が発行する合成樹脂製のカード（ＪＩＳＩＩ）であり、各種情報が磁気記録及び印字してある。具体的には、発行店の識別情報や会員コード等の会員識別情報が磁気記録してあると共に、発行した店コード、会員コード等の情報が印字してあり、記録内容の一部を目視できるようになっている。
【００２３】
これに対して一般カードＢＣ（プリペイドカード）は、任意の一般利用客に対して遊技店が都度発行する紙製の磁気カードであり、上述した会員カードＭＣと同様、各種情報が磁気記録及び印字してある。具体的には、発行店の識別情報、カード固有の識別コード、発行金額、カード種別等が磁気記録してあると共に、発行店、カード固有識別情報（例えば発行機番号＋連番）、発行金額及び有効期限等が目視できるように印字してある。
【００２４】
これらの会員カードＭＣ及び一般カードＢＣは、その材質や板厚及び記録内容が相違するものの、縦横の寸法は同一であると共に、各種情報を磁気記録するための磁気ストライプも同一の位置に設けてある。
【００２５】
また、会員カードＭＣ及び一般カードＢＣには、それぞれパチンコ玉を借り受ける際の基準となる有価対応、具体的には「度数」と称される有価対応を付与してある。ここでいう「度数」とは、パチンコ玉の貸出処理単位であり、所定のレートで設定してある。一般的には、１度数が１００円に対応し、１度数でパチンコ玉２５個だけ貸し出すように設定してある。なお、本実施の形態の場合、それぞれの度数は、個々のカード（会員カードＭＣ、一般カードＢＣ）には記録せず、後述する会員管理ＴＣ１１の会員管理テーブル２４、プリペイドカード管理ＴＣ１０のプリペイドカード管理テーブル２３にそれぞれ記憶されるものとなる。
【００２６】
ここで、一般カードＢＣと比較した会員カードＭＣの特色を説明すると、会員カードＭＣを所有する会員は、いわゆる貯玉サービスを受けられる点が大きく相違する。すなわち、貯玉とは遊技した際に獲得した遊技媒体の数量を貯めることであり、具体的には、パチンコ玉を用いて遊技していた場合には、パチンコ玉を数量情報という形式で貯めることを貯玉という。なお、スロット機によりメダルを用いて遊技をしていた場合には、メダルを枚数情報という形式で貯めることを貯メダルという。
【００２７】
そして、上述のようにして貯玉をおこなった会員は、貯玉データに関連付けられている数量（貯玉数）の範囲内で、パチンコ玉を借り受けて再度遊技をすることができ、また、貯玉数の範囲内で、遊技店内の自動販売機からジュース等の商品と交換することができる。さらに、貯玉数の範囲内で、通常の欲しい景品（たばこ等）と交換することができる。
【００２８】
この貯玉数も、会員カードＭＣには記録せず、後述する会員管理ＴＣ１１の会員管理テーブル２４に記憶されている。そして、この貯玉数は、新規に貯玉された場合にはその分だけ増加され、一方、遊技すべくパチンコ玉が引き出された場合や、遊技店内の自動販売機で商品を交換した場合及び景品に交換した場合には、その分だけ減少されて、常に最新の値となるように演算処理される。
【００２９】
また、会員に対する特典としてサービスポイント制度が設定されている。このサービスポイントとは、会員による会員カードの利用（来店回数）に合わせて所定のポイントを付加する特典であり、サービスポイントのポイント数によりドリンクサービスや優先入場などをすることができる。
【００３０】
以下、本発明におけるデビット利用料徴収システムの詳細について説明する。図１に示すように、本実施の形態のデビット利用料徴収システムでは、それぞれ「島」と呼ばれるグループごとに複数のパチンコ機２０およびカード処理ユニット３０が並設してあるとともに、各島にカード発行機４０、カード精算機５０などの記録媒体処理装置が適宜設けてある。また、複数のカード発行機４０に対応して、デビット決済処理装置としての複数のデビット子機７０が併設されている。デビット子機７０は、このデビット子機７０と接続されたカード発行機４０と協同し、プリペイドカードの発行に関するデビットカードによる決済処理機能を有する。
【００３１】
カード発行機４０は、プリペイドカードの発行処理、並びに会員カードを受け入れて、この会員カードに関連付けられた度数に対する加算処理を主機能としている。具体的には、カード発行機４０を利用して遊技客が希望する有価対応分のプリペイドカードの発行およびこのプリペイドカード、会員カードに対する追加入金をおこなうことができる。また、紙幣やデビットカードの利用時において、遊技客により購入希望金額が選択されると、この選択された金額データや発行店、日付、カードを特定する情報を当該カードの磁気ストライプ部に磁気記録し、かつカード表面に金額と表示ＩＤを印字したプリペイドカードを発行することができる。
【００３２】
カード処理ユニット３０は、遊技店に設置された複数のパチンコ機２０それぞれに対して１台ずつペアとなるように用意され、パチンコ機２０の相互間に挟まれる形で設置してある。カード処理ユニット３０は、プリペイドカードや会員カードに関連付けられた残度数を上限とするパチンコ玉の貸し出し処理を主機能とするものである。
【００３３】
このカード処理ユニット３０は、プリペイドカードを挿入するカード挿入口にカードが挿入されると、プリペイドカード管理ＴＣ１０に問い合わせることにより、そのプリペイドカードに関連付けられた有価対応データを取得し、遊技客によるパチンコ機２０への遊技媒体の貸し出し要求に基づき、有価対応データ（残度数）の範囲内で、遊技媒体を貸し出す処理をおこなう。
【００３４】
パチンコ機２０は、パチンコ玉を遊技領域に発射して利用客が遊技をおこなうことができる。カード精算機５０は、プリペイドカードや会員カードに関連付けられた度数を現金として払い戻す処理を主機能とするもので、遊技店内に数台ずつ設置してある。カード精算機５０は、会員カードＭＣや一般カードＢＣを受け入れて、会員カードＭＣや一般カードＢＣに関連付けられた度数を現金として払い戻す処理を主機能とするものである。
【００３５】
デビット子機７０は、カード発行機４０に隣接して設置され、かつ当該カード発行機４０と通信路で接続されている。また、このデビット子機７０は、遊技店の店外において、公衆回線網１０００を介して情報処理センタ１００１に接続されている。
【００３６】
さらに、この情報処理センタ１００１は、デビットカード発行銀行１０２０、決済銀行１０３０、加盟店銀行１０４０のそれぞれのコンピュータとＣＡＦＩＳネットワーク（クリアリングセンタ１０１１を含む）を介して接続されている。このＣＡＦＩＳネットワークを中心とし、更に、情報処理センタ１００１の遊技店内に設置されたデビット子機７０へと継がる部分全体は、デビットカードシステムと称されている。
【００３７】
これらのパチンコ機２０、カード処理ユニット３０、カード発行機４０およびカード精算機５０は、各島内に設けた島コントローラ６０を通じてターミナルコントローラ１０の制御下にある。
【００３８】
プリペイドカード管理ＴＣ１０および会員管理ＴＣ１１は、パチンコ店外のカード会社センタ１０６０の経営コンピュータと公衆回線網により接続されており、この経営コンピュータを用いてプリペイドカード管理ＴＣ１０および会員管理ＴＣ１１内のデータを管理できるようになっている。
【００３９】
カード会社センタ１０６０は、定期的（例えば閉店時）に各遊技店のターミナルコントローラ１０との間でデータの送受信を行い、遊技店舗毎に、ターミナルコントローラ１０から送信されるカード（会員カードＭＣ、一般カードＢＣ）の発行及び利用実績の情報の管理や、売上集計などの処理を行う。
【００４０】
次に、図１に示したプリペイドカード管理ＴＣ１０（ターミナルコントローラ）および会員管理ＴＣ１１（ターミナルコントローラ）の内部構成について説明する。図２は、プリペイドカード管理ＴＣ１０の内部構成を示すブロック図、図３は、プリペイドカード管理テーブル２３の構成をそれぞれ示している。
【００４１】
すなわち、図２に示すようにプリペイドカード管理ＴＣ１０のＲＡＭ１３ａは、一般カードＢＣ（プリペイドカード）の各種管理情報を格納する部分である。１４ａは公衆回線網１０６１を介してカード会社センタ１６０との間で情報の送受信を行う通信Ｉ／Ｆ部、ＣＰＵ１５ａは、ＲＯＭ１６ａに格納されたプログラムに基づいて上述した各種処理を実現するための部分である。また、１７ａは、上述した各種管理情報を表示するための表示部、１８ａは、オペレータが設定をおこなう際に操作する入出力部である。プリペイドカード管理ＴＣ１０に格納されたそれぞれの度数情報は、通信Ｉ／Ｆ部１４ａを通じて読み出し要求があった場合にはＣＰＵ１５ａによって、その都度ＲＡＭ１３ａから読み出される一方、減算更新要求や加算更新要求があった場合にはＣＰＵ１５ａによって適宜更新されることになる。
【００４２】
また、図３に示すように、プリペイドカード管理テーブル２３は、一般カードＢＣ（プリペイドカード）のカードの識別情報毎（固有識別コード）に、その度数情報とを対応付けて格納したものである。このプリペイドカード管理テーブル２３の度数情報は、現金決済分とデビット決済分とに分けて管理してある。現金決済分に関しては、購入した度数、使用した度数及び残度数である。デビット決済分に関しては、現金決済分と同様に、購入した度数、使用した度数及び残度数に加えて、利用料の金額についても一般遊技客を特定する識別番号に対応付けて管理してある。
【００４３】
図４は、会員管理ＴＣ１１の内部構成を示すブロック図、図５は、会員管理テーブル２４の構成をそれぞれ示している。すなわち、図４に示すように、会員管理ＴＣ１１のＲＡＭ１３ｂは、会員カードの各種管理情報を格納する部分である。１４ｂは公衆回線網１０６１を介してカード会社センタ１６０との間で情報の送受信を行う通信Ｉ／Ｆ部、ＣＰＵ１５ｂは、ＲＯＭ１６ｂに格納されたプログラムに基づいて上述した各種処理を実現するための部分である。また、１７ｂは、上述した各種管理情報を表示するための表示部、１８ｂは、オペレータが設定をおこなう際に操作する入出力部である。プリペイドカード管理ＴＣ１０に格納されたそれぞれの度数情報は、通信Ｉ／Ｆ部１４ｂを通じて読み出し要求があった場合にはＣＰＵ１５ｂによって、その都度ＲＡＭ１３ｂから読み出される一方、減算更新要求や加算更新要求があった場合にはＣＰＵ１５ｂによって適宜更新されることになる。
【００４４】
また、図５に示すように、会員管理テーブル２４は、会員カードＭＣを所有する特定のカード識別情報（会員コード）会員の識別番号に関連付けて度数情報および会員情報を対応付けて格納したものである。会員管理テーブル２４の度数情報は、現金決済分とデビット決済分とに分けて管理してある。現金決済分に関しては、購入した度数、使用した度数及び残度数である。デビット決済分に関しては、現金決済分と同様に、購入した度数、使用した度数及び残度数に加えて、利用料の金額についても会員を特定する識別番号に対応付けて管理してある。利用料は、デビットカードによるデビット決済の利用時に遊技客に対して徴収する金額である。この利用料は、利用料設定部８０により設定される。
【００４５】
会員カードＭＣに関する会員管理テーブル２４には、会員である遊技客の会員情報も格納してある。具体的には、貯玉数、サービスポイント、誕生日、性別、年齢、最終来店日である。サービスポイントとは、来店回数、購入度数（入金額）、誕生日等、遊技店が設定した条件に合致した場合に会員である遊技客に付与される付加対応である。ここで、貯玉数情報は、計数機１２によって貯玉された場合及びデビット子機７０によるデビット決済により貯玉された場合に、その貯玉の数量分だけ増加した値に更新される。
【００４６】
一方、再プレイなどによりパチンコ玉が引き出された場合、自販機によって商品が提供された場合及び景品管理システムによって景品が交換された場合には、引き出されたパチンコ玉や、商品または景品の数量分だけ減少した値に更新されて、最新の値となるように演算処理される。後述するように、貯玉はサービスポイントとともに、利用料として適用可能な対価として対応付けすることができる。
【００４７】
これらの会員情報のうち、誕生日、性別、年齢に関しては、遊技客が会員登録する際に申込み用紙に記入させるなどして取得した情報である。これに対して貯玉数、サービスポイント、最終来店日に関しては、カード処理ユニット３０、カード発行機４０およびカード精算機５０に対して会員カードＭＣが挿入される度にＣＰＵ１５ｂが取得更新する情報である。
【００４８】
図６は、実施の形態に係わる情報処理センタ１００１、デビット子機７０、カード発行機４０の概略構成及び接続態様を示す概念図である。すなわち、図６に示すように、本実施の形態１におけるプリペイドカード発行システムは、プリペイドカードの発行をおこなうカード発行機４０と、デビットカードの受け入れ時に、デビットカードに関連付けられたカード情報を取得するデビット子機７０と、このデビット子機７０により取得したカード情報に基づいてデビット決済処理をおこなう情報処理センタ１００１とを通信により接続することにより構成している。カード発行機４０には、プリペイドカード管理ＴＣ１０、会員管理ＴＣ１１が通信接続されている。
【００４９】
デビット子機７０は、カード発行機４０に付設されており、このデビット子機７０は、デビット決済による取引金額や入力操作ガイダンスなどの各種情報を表示する表示部７６、キャッシュカード（デビットカード）の暗証番号や取引金額等を入力する外部操作入力部７７（テンキー）、キャッシュカードを挿入するためのデビットカード挿入／返却口７４、デビット決済によるレシートを発行するレシート排出口７５を備えている。なお、本例ではデビット子機４０とカード発行機７０とを別体として構成しているが、カード発行機４０の内部にデビット子機７０のデビット処理機能を備える構成とすることもできる。
【００５０】
カード発行機４０は、プリペイドカードの発行金額を選択する５種類（本例では、１００００円、５０００円、３０００円、２０００円、１０００円）の選択ボタン４７と、この選択ボタン４７により選択された発行金額に応じたプリペイドカードを排出し、発行をおこなう一般挿入／発行口４４および会員カード用の会員カード挿入／返却口を備えている。
【００５１】
情報処理センタ１００１は、公衆回線網１０００を通じてデビット子機７０に接続され、このデビット子機７０により取得したカード情報に基づいてデビット決済処理をおこなう機能を備えており、さらには図１に示すクリアリングセンタ１０１１を含むＣＡＦＩＳネットワーク１０１０、並びに遊技客の口座を有するデビットカード発行銀行１０２０および情報処理センタ１００１の口座を有する加盟店銀行１０４０に接続されている。
【００５２】
以下、図７、８を参照して上述したカード発行機４０およびデビット子機７０の詳細について説明する。図７は、本実施の形態で適用するカード発行機４０およびデビット子機７０の外観を示した正面図、図８は、これらカード発行機４０およびデビット子機７０の内部構成を示すブロック図である。本実施の形態では、図７に示すように、カード発行機４０およびデビット子機７０を、それぞれ個別の筐体４１、７１に別々のユニットとして設けてある。また、カード発行機４０の筐体４１およびデビット子機７０の筐体７１は、それぞれの前面に開閉可能な扉体４２、７２を備えて構成しており、各扉体４２、７２は、筐体４１、７１との間に主錠手段４３、７３が設けてあり、閉成した状態で施錠することが可能である。
【００５３】
カード発行機４０は、筐体４１の前面に設けた扉体４２に一般カード挿入／発行・返却口４４、会員カード挿入／返却口４５、紙幣挿入／返却口４６および外部操作入力部としての選択ボタン４７、取消ボタン４８、表示部４９およびハンディ収容凹部４２ａを備えている。
【００５４】
一般カード挿入／発行・返却口４４は、一般カードＢＣ（プリペイドカード）を受入れてこれを一般カード処理部４０３に取り込む一方、一般カード処理部４０３において所望の処理を施した後の一般カードＢＣを返却、あるいは一般カード処理部４０３で発行処理した一般カードＢＣを発行するための開口である。一般カード処理部４０３は、取り込んだ一般カードＢＣに磁気記録されているカード固有識別情報を読み取り、その読み取り結果を後述の発行制御部４０２に与える処理、並びに一般カードＢＣの発行処理を行う部分である。一般カードＢＣの発行処理では、例えば、予め装填されたロール紙（図示せず）を適宜切断・印字・データ処理し、これを一般カードＢＣとして発行するようにしている。
【００５５】
会員カード挿入／返却口４５は、会員カードＭＣを受け入れてこれを会員カード処理部４０１に取り込む一方、会員カード処理部４０１において所望の処理を施した後の会員カードＭＣを返却するための開口である。会員カード処理部４０１は、取り込んだ会員カードＭＣに磁気記録されている会員識別情報を読み取り、その読み取り結果を後述の発行制御部４０２に与える部分である。
【００５６】
紙幣挿入／返却口４６は、紙幣を受け入れてこれを紙幣処理部４０４に取り込む部分である。紙幣処理部４０４は、取り込まれた紙幣の金種を識別してその識別結果を後述の発行制御部４０２に与えるとともに、識別可能な紙幣を金種別に分類して紙幣回収箱４０５に収納する一方、識別不能な紙幣を返却するための部分である。
【００５７】
外部操作入力部である選択ボタン４７は５種類（１００００円、５０００円、３０００円、２０００円、１０００円）の発行金額に応じたプリペイドカードを選択し、その押下により指定金額分のプリペイドカードを発行する機能を備えている。取消ボタン４８は、一度選択した操作などを一旦取り消すためのボタンである。これら、選択ボタン４７、取消ボタン４８は、それぞれ外部操作入力部として設けたもので、遊技客によってＯＮ操作された場合に個別の検出信号を後述の発行制御部４０２に与える部分である。
【００５８】
表示部４９は、後述の発行制御部４０２から与えられた入力ガイダンスや設定入力ガイダンス等の各種情報を表示するための部分であり、例えば液晶表示器によって構成してある。
【００５９】
ハンディ収容凹部４２ａは、補助扉体４２ｂによって開閉可能、かつ扉体４２の主錠手段４３とは別個の補助錠手段４２ｃによって施錠可能な凹所である。この補助錠手段４２ｃには、施錠状態にあるか否かを検出するとともに、その検出結果を常時発行制御部４０２に与える施錠検出センサ４０６を設けてある。上記ハンディ収容凹部４２ａには、ハンディ端末入力機４０７を収容してある。ハンディ端末入力機４０７は、各種機能スイッチやテンキースイッチを備えて構成したもので、内部操作入力部として機能する。このハンディ端末入力機４０７の各種機能スイッチやテンキースイッチがＯＮ操作された場合には、上述した選択ボタン４７や取消ボタン４８と同様に、それぞれ個別の検出信号が後述の発行制御部４０２に与えられることになる。
【００６０】
発行制御部４０２は、予め与えられたプログラムや会員カード処理部４０１、一般カード処理部４０３、紙幣処理部４０４、選択ボタン４７、一括発行ボタン４８、取消ボタン５０、施錠検出センサ４０６およびハンディ端末入力機４０７から与えられた情報に基づいて各部の制御を行うための部分である。この発行制御部４０２は、第１通信Ｉ／Ｆ部４０８および第２通信Ｉ／Ｆ部４０９を通じて外部と適宜情報交換することが可能である。本実施の形態では、第１通信Ｉ／Ｆ部４０８が、後述する島コントローラ６０を介してターミナルコントローラ１０に接続してある一方、第２通信Ｉ／Ｆ部４０９が、デビット子機７０の第１通信Ｉ／Ｆ部７０４を介して後述のデビット制御部７０２に接続してある。
【００６１】
デビット子機７０は、筐体７１の前面に設けた扉体７２にデビットカード挿入／返却口７４、レシート排出口７５、表示部７６および外部操作入力部７７を備えているとともに、扉体７２を開成した場合に露出する部分に内部操作入力部７８を備えている。
【００６２】
デビットカード挿入／返却口７４は、デビットカードＤＣを受け入れてこれをデビットカード処理部７０１に取り込む一方、デビットカード処理部７０１において所望の処理を施した後のデビットカードＤＣを返却するための開口である。デビットカード処理部７０１は、取り込んだデビットカードＤＣに磁気記録されている情報を読み取り、その読み取り結果を後述のデビット制御部７０２に与える部分である。
【００６３】
レシート排出口７５は、印字部７０３において印字処理されたレシートＲＣを排出するための開口である。印字部７０３は、後述のデビット制御部７０２から与えられた情報をレシートＲＣとして印字出力するための部分である。表示部７６は、後述のデビット制御部７０２から与えられた入力ガイダンス等の各種情報を表示するための部分であり、例えば液晶表示器によって構成してある。
【００６４】
外部操作入力部７７は、確認スイッチや取消スイッチ等の各種機能スイッチ、さらにはデビットカードＤＣの暗証番号を入力するためのテンキースイッチを備えて構成したものである。内部操作入力部７８は、係員モードスイッチ７８を備えて構成したものである。これら外部操作入力部７７および内部操作入力部７８がＯＮ操作された場合には、それぞれ個別の検出信号が後述のデビット制御部７０２に与えられることになる。
【００６５】
利用料設定部８０は、キャッシュカードなどのデビットカードを使用するデビット決済時に購入したプリペイドカードに対して加算される利用料を設定する機能を有している。この利用料は、遊技客がカード発行機の５種類の選択ボタン（例えば、１０００円、２０００円、３０００円、５０００円、１００００円）を押して、購入を希望するプリペイドカードを選択した際に、利用料として設定される。例えば、デビット取引により１００００円のプリペイドカードを購入した場合は、購入金額の１００００円に１５０円の利用料が加算され、この金額が利用料として表示される。この利用料は、遊技店毎に異なる金額として設定されている。
【００６６】
対応付け部８１は、会員が獲得した貯玉データ或いはサービスポイントを利用料として対応付けて徴収する機能を備えている。また、この対応付け部８１は、一般遊技客が獲得したパチンコ玉の玉数を利用料として適用可能とする機能をも備えることができる。具体的には、例えば、利用料の１００円に対する貯玉データ或いはサービスポイントとして対応付けて設定した場合、貯玉数は、２５個、サービスポイントは５０Ｐがそれぞれ相当する。後述するように、この利用料に対応した貯玉データ或いはサービスポイントの数値が表示部４９に表示される。
【００６７】
デビット制御部７０２は、デビットカード処理部７０１、外部操作入力部７７および内部操作入力部７８から与えられた情報に基づいて各部の制御を行う部分である。このデビット制御部７０２は、第１通信Ｉ／Ｆ部７０４および第２通信Ｉ／Ｆ部７０５を通じて外部と適宜情報交換することが可能である。本実施の形態では、第１通信Ｉ／Ｆ部７０４が、カード発行機４０の第２通信Ｉ／Ｆ部４０９を介して発行制御部４０２に接続してある。
【００６８】
第２通信Ｉ／Ｆ部７０５は、公衆回線網１０００を通じて後述するデビットカードシステムの情報処理センタ１００１に接続され、さらには図１に示すように、クリアリングセンタ１０１１を含むＣＡＦＩＳ（Ｃｒｅｄｉｔ  ａｎｄ  Ｆｉｎａｎｃｅ  Ｉｎｆｏｒｍａｔｉｏｎ  Ｓｙｓｔｅｍ）ネットワーク１０１０、並びに遊技客の口座を有するデビットカード発行銀行１０２０および情報処理センタ１００１の口座を有する加盟店銀行１０４０に接続されている。
【００６９】
次に、図１に示した計数機１２の構成について説明する。図９は、計数機１２の内部構成を示した機能ブロック図である。すなわち、図９に示すように、計数機１２は、制御部８３、会員カード処理部８４、計数処理部８５、表示部８６、操作入力部８７及び通信Ｉ／Ｆ部８８を備えている。制御部８３は装置全体の制御を行うと共に所定の処理を実行する。９１は、計数機１２により計数された玉数を印字したレシートを発行するためのレシート発行口である。また、９２は会員により挿入された会員カードを挿入および返却用の会員カード挿入／返却口である。
【００７０】
計数機１２は、遊技客が遊技（大当たり）により獲得したパチンコ玉（遊技媒体）を受け入れて、このパチンコ玉の総数を算出（計数）する機能を備えている。また、会員カードを挿入し、暗証番号を入力することにより、貯玉した玉を引き落として再プレイする機能も備えている。この計数機８０による計数値（玉数）は、紙のレシートに印字したり所定の計数記録媒体に記録して発行し、所望の景品と交換することができる。
【００７１】
以下、各部の詳細について説明する。会員カード処理部８４は、会員カード挿入／返却口９２から挿入された会員カードＭＣの記録情報を読み取り、この読取結果を制御部８３に送出する。計数処理部８５は、遊技を終了する利用客（貯玉会員）又は店員により投入されたパチンコ玉を計数し、この計数結果を制御部８３に送出する。
【００７２】
制御部８３は、計数処理部８５からの計数結果を表示部８６に表示させる。これにより利用客は遊技により獲得したパチンコ玉の数量を把握することができ、その全部又は一部を景品あるいは貯玉として使用することが可能となる。また、制御部８３は、計数処理部８５からの計数結果及び会員カード処理部８４からの会員カードＭＣの読取結果に含まれる会員コードを、通信Ｉ／Ｆ部８８を介して会員管理ＴＣ１１に送出する。
【００７３】
会員管理ＴＣ１１では、該当する会員コードが会員管理テーブル２４に登録されている場合には、これに対応する現在の貯玉数に受信した計数結果を加算する。一方、該当する会員管理テーブル２４に登録されていない場合には、会員管理テーブル２４に当該会員コードを新規登録し、これに対応して受信した計数結果を登録する。
【００７４】
以上の処理が終了した場合には、処理が正常終了した旨が通信Ｉ／Ｆ部８８を介して制御部８３に入力されるので、この制御部８３は、会員カード処理部８４を通じて会員カード挿入／返却口９２から会員カードＭＣを返却する。
【００７５】
以下、図１０のフローチャートを参照して、本実施の形態における全体制御処理手順を説明する。この図１０に示すフローチャートは、情報処理センタ１００１、デビット子機７０、カード発行機４０、プリペイドカード管理ＴＣ１０、会員管理ＴＣ１１との間での処理手順を説明する図である。以下、前記図６および図１０を参照しながら、主にカード発行機４０およびデビット子機７０の動作について説明する。
【００７６】
すなわち、先ず、遊技客がカード発行機４０の会員カード挿入／排出口４４に会員カードを挿入すると（ステップＳ１１０）、カード発行機４０は、会員カードの挿入を認識するとともに、会員カードの会員コードを読み取り（ステップＳ１１２）、次いで、デビット子機７０に対して、会員カード挿入通知を送信する（ステップＳ１１５）。一方、デビット子機７０では、カード発行機４０から会員カード挿入通知を受信すると（ステップＳ１２０）、キャッシュカードの挿入判断をおこない（ステップＳ１２５）、キャッシュカードの挿入時には（ステップＳ１２５肯定）、以下、デビット決済を開始する準備をおこなうものとなる。
【００７７】
ここで、デビット子機７０には、会員による会員カードの挿入通知が受信されているため、このデビット子機７０の表示部７６には、会員用の表示画面が表示される（ステップＳ１２８）。
【００７８】
図１１（ａ）、（ｂ）は、会員カードの挿入通知が受信された際に、デビット子機７０の表示部７６に表示される画面表示内容の一例を示している。すなわち、図１１（ａ）に示すように、表示部７６には、発行するプリペイドカードの発行額に応じた「利用料」が表示される他、この「利用料」の金額に対応して適用される「ポイント」、「貯玉」の数値がそれぞれ表示される。前述したように、プリペイドカードの発行額に応じた利用料の設定は、利用料設定部８０により設定され、「貯玉」および「ポイント」に対する利用料に応じた対応付けは、対応付け部８１により設定される。
【００７９】
この図１１（ａ）に示す表示により、会員はプリペイドカードの購入時に徴収される利用料の金額および利用料に対応する「貯玉」および「ポイント」を確認することができる。図１１（ａ）に示すように、例えば、会員が２０００円のプリペイドカードを購入した場合には、利用料が１００円であり、この利用料の１００円は、サービスポイントでは５０Ｐ、貯玉の数量としては、２５個がそれぞれ適用することを表している。
【００８０】
以下、図１１（ａ）の画面から図１１（ｂ）の画面に切り換えをおこなうと、図１１（ｂ）に示すように、利用料を「貯玉」或いは「ポイント」として支払うか通常のデビット決済による口座引き落としでおこなうかの選択ガイダンスが表示部７６に表示される。この選択ガイダンスは、会員に対して選択を促す表示であり、通常と同様に利用料を銀行口座による引落しでおこなう場合には、確認ボタンを押下する。また、利用料の支払いを「貯玉」或いは「ポイント」ととして支払う場合には、会員暗証番号の入力をおこなうものとなる。
【００８１】
以下、本例では、利用料の支払いは、現金ではなく利用料として適用される「貯玉」或いは「ポイント」とした場合の処理手順について説明する。すなわち、貯玉或いはポイントの選択ガイダンスにより、利用料に対する引き落とし方法の選択、会員暗証番号の入力待ちとなり（ステップＳ１３０）、会員暗証番号が入力されると（ステップＳ１３５）、デビット子機７０から会員の暗証番号がカード発行機４０に対して送信される（ステップＳ１４０）。次いで、カード発行機４０では、デビット子機７０から会員の暗証番号を受信すると（ステップＳ１４５）、この会員の暗証番号および会員コードを会員管理ＴＣ１１に対して通知する（ステップＳ１４６）。
【００８２】
一方、会員管理ＴＣ１１では、デビット子機から通知された会員コードおよび暗証番号を受信すると（ステップＳ１５０）、会員コードに基づいて、会員管理テーブル２４（図５）を検索し、該当する会員（会員コード）が保有する貯玉の数量データおよびサービスポイントを抽出する（ステップＳ１５５）。この会員管理テーブル２４から抽出された会員の貯玉数およびサービスポイントをカード発行機４０を通じて、デビット子機７０に対して通知する（ステップＳ１６０）。
【００８３】
一方、デビット子機７０では、会員管理ＴＣ１１から該当する会員（会員コード）が保有する貯玉数およびポイントを取得すると（ステップＳ１７０）、表示部７６の表示画面に会員が保有する貯玉数およびサービスポイントの表示とともに、「引き落とし元の選択」ガイダンスの表示をおこなう（ステップＳ１７５）。ここで、図１２は、会員が保有する貯玉およびサービスポイントの表示および「引き落とし元」選択画面の一例を示しており、会員は、この表示により自身の保有する貯玉およびサービスポイントのデータを確認するとともに、選択元画面により利用料に対する支払いを「１．貯玉」か「２．ポイント」のいずれかを選択して、設定することができる。ここで、会員は、現時点で３０００個の貯玉と６００Ｐのサービスポイントを保有していることがわかる。また、以下の説明では、仮に「引き落とし元」選択画面による選択から「１．貯玉」が選択され、貯玉による引き落としが設定されたものとする。
【００８４】
次いで、表示部７６に暗証番号入力要求表示をおこなった後、デビット決済に係わるキャッシュカードの暗証番号の入力待ちとなる（ステップＳ１８０）。図１３は、表示部７６に表示される暗証番号の入力ガイダンスの一例を示しており、「キャッシュカードの暗証番号を入力して下さい」などが表示される。そして、このステップＳ１８０による暗証番号の入力要求を表示部７６での表示により確認した遊技客がデビット子機７０の操作入力部７７（テンキー）を使用して暗証番号を入力すると（ステップＳ１８５）、デビット子機７０は、この暗証番号を保持すると共に、カード発行機４０に対して、暗証番号の完了通知とともに、カード発行操作可（選択入力要求）の旨を送信（通知）する（ステップＳ１９０）。以上の操作により、利用料に対する支払いが貯玉による対価として設定されたものとなる。そして、以下の操作手順は、実際に購入するプリペイドカードの金額を選択する操作となる。
【００８５】
すなわち、カード発行機４０では、デビット子機７０から通知された信号（カード発行操作可）を受信すると（ステップＳ２００）、カード発行機４０に設けられている選択ボタン４７の点灯をおこない、以降、点灯させたボタンの押下（ＯＮ）が有るか否かを監視する。前述したように、選択ボタン４７は、５種類（１００００円、５０００円、３０００円、２０００円、１０００円、）のうち希望の購入金額を指定して押下により選択することができる。
【００８６】
そして、選択ボタン７４７の点灯中に、遊技客が点灯している選択ボタン４７のいずれかを押下すると（ステップＳ２２０肯定）、以下、カード発行機４０は、このステップＳ２２０により選択（算出）されたプリペイドカードの金額データを決済依頼要求としてデビット子機７０に通知する（ステップＳ２３０）。一方、デビット子機７０では、決済依頼要求（発行金額）を受信すると（ステップＳ２４０）、この決済依頼要求をキャッシュカード情報として情報処理センタ１００１に対して通知により送信する（ステップＳ２５０７０１）。以上により、デビット子機７０では、決済に必要な情報が全て揃うので、以下、情報処理センタ１１００１および銀行を通じて決済処理依頼をおこなうものとなる。
【００８７】
一方、情報センタ１００１では、デビット子機７０から送信されたキャッシュカードのカード情報を受信すると（ステップＳ３００）、情報センタ１００１は、クリアリングセンタ１０１１にアクセスし、今回の決済要求にて通知された会員コード（キャッシュカードの暗証番号）に対応する口座から当該決済要求で通知された金額データ分を引き落とす処理を含む決済処理を開始する（ステップＳ３１０）。
【００８８】
この、決済依頼データが利用制限内（利用制限可）である場合の情報処理センタ１００１での上記決済処理は、例えば、以下の手順で実現できる。すなわち、情報処理センタ１００１では、上記ステップＳ３００での処理手順によりデビット子機７０から受信した各種データ（金額データ、カード情報、暗証番号等）に基いて、図１に示すＣＡＦＩＳ（Ｃｒｅｄｉｔ  ａｎｄ  Ｆｉｎａｎｃｅ  Ｉｎｆｏｒｍａｔｉｏｎ  Ｓｙｓｔｅｍ）ネットワークのクリアリングセンタ１０１１に決済処理を依頼する。
【００８９】
以下、上記決済依頼を受けたクリアリングセンタ１０１１は、デビットカード発行銀行１０２０、決済銀行１０３０、加盟店銀行１０４０間で決済処理をおこない、このうちの即時実行する必要のある処理（例えば、デビットカード発行銀行１０２０での、今回の決済要求にて通知されたカード情報中から抽出したＩＤ）に対応する口座から当該決済要求で通知された引き落とし金額分を引き落とす処理等が終了すると、情報処理センタ１００１に処理終了の通知をおこなう。また、クリアリングセンタ１０１１では、上記口座の残金不足等により決済処理が不可（ＮＧ）の場合には、その旨を情報処理センタ１００１に通知する。
【００９０】
なお、即時実行分以外の決済処理は、予め決められた期間後（例えば、３営業日後）に実施され、最終的に、上記利用料金から上記決済処理により手数料等を差し引かれた代金が加盟店銀行１０４０の情報処理センタ１００１の口座に振り込まれる。その後、この加盟店銀行１０４０の情報処理センタ１００１の口座に振り込まれた代金から情報処理センタ１００１の手数料を差し引いた代金として、△△銀行１０７０にある各遊技店の口座に、カード会社とパチンコ店の取り決めに従い、プリペイドカードの使用度数に応じた代金が振り込まれる。
【００９１】
以下、図１０のフローチャートに戻り、ステップＳ３１０以降を説明する。上述のようにしておこなった決済処理後（ステップＳ３１０）、情報処理センタ１００１では、次のステップＳ３２０により決済結果をデビット子機７０に送信する。一方、デビット子機７０は、情報処理センタ１００１から送信された決済処理結果（決済の可否）を受信し（ステップＳ４００）、この決済処理結果（決済の可否）に基づいて決済処理の可否を判定し（ステップＳ４１０）、例えば、今回の決済要求にて通知されたＩＤに対応する口座の残額が当該決済要求で通知された金額に満たない（残額不足）等により決済処理がおこなえなかった場合（ステップＳ４１０否定）、デビット子機７０のデビットカード挿入返却口７４からキャッシュカードを遊技客に返却し（ステップＳ４１５）、処理を終了する（エンド）。
【００９２】
ここで、決済処理がＯＫの場合（ステップＳ４１０肯定）、その決済結果をカード発行機４０に通知する（ステップＳ４２０）。この時、カード発行機４０には、決済完了通知の他、貯玉或はポイントの引き落としが通知される（本例では、貯玉による引き落とし通知）。そして、カード発行機４０では、デビット子機７０から受信した決済結果通知を基に決済が完了したか否かを判断する（ステップＳ４３０）。
【００９３】
ここで、決済完了であれば（ステップＳ４３０肯定）、実際のプリペイドカードの発行処理に移行するとともに、カード発行機４０では、プリペイドカード管理ＴＣ１０に対して、入金登録通知をおこなう（ステップＳ４４０）。この入金登録通知は、入金の引き落とし完了にともなうプリペイドカードの発行指示である。また、カード発行機４０は、プリペイドカード管理ＴＣ１０に対する入金登録通知と平行して、プリペイドカード管理ＴＣ１０により会員管理ＴＣ１１に対して貯玉の引き落とし指示通知を送信する（ステップＳ４４２）。以下、会員管理ＴＣ１１では、貯玉或はポイントの引落しをおこなう（ステップＳ４４５）。具体的には、この貯玉の引落しは、ステップＳ１７５で設定した利用料に相当する貯玉の数量が減算されるものとなる。
【００９４】
以下、会員管理ＴＣ１１による貯玉の引き落とし完了通知（ステップＳ４６０）、およびプリペイドカード管理ＴＣによる入金登録完了通知（ステップＳ４４５）がそれぞれカード発行機４０に対して通知される。
【００９５】
ここで、カード発行機４０では、プリペイドカード管理ＴＣ１０および会員管理ＴＣ１１から入金登録および貯玉或はサービスポイントの引き落とし完了通知を受信すると前記ステップＳ２２０で押下された選択ボタン４７に対応する金額のプリペイドカード（当該金額相当度数の有価データが記憶されたカード）を一般カード挿入／発行口４４から排出し（ステップＳ５００）、その後、全ての選択ボタン４７を消灯状態に制御し（ステップＳ５１０）、会員カードにカードデータの書き込みをおこない、この会員カードを返却した後（ステップＳ５５０）、処理を終える（エンド）。一方、決済が完了していなければ（ステップＳ４３０否定）、直ちに全ての選択ボタン４７を消灯状態に制御し（ステップＳ５１０）、会員カードにカードデータの書き込みをおこなった後、この会員カードを返却し（ステップＳ５５０）、処理を終える（エンド）。
【００９６】
以上のように、本実施の形態では、デビット利用時に遊技店から徴収される利用料を、この利用料の金額に相当する会員カードに保有（記録）された貯玉或いはサービスポイントとして支払うことができるので、デビットカードによる利便性を向上することができる。
【００９７】
また、遊技店では、デビット決済時の利用料を設定することができるため、遊技店にとっての金銭的負担を軽減することができる。また、貯玉或いはサービスポイントが小量であっても、利用料として有効活用することができる。
【００９８】
ここで、本発明のデビット利用料徴収システムは、会員が所有する会員カードに保有（記録）された貯玉或いはサービスポイントを利用料として適用可能とすることに特徴があるが、本発明は、会員ではない一般の遊技客に対しても、以下のようにして適用することができる。
【００９９】
（１）般遊技客が獲得したパチンコ玉を計数機１２により計数するとともに、この玉数を記録可能な計数記録カードを設け、デビット子機７０では、計数記録カードの玉数（数量データ）を読み取ることにより、玉数を貯玉と同様に利用料に対応付けて適用させる。同様に、デビット子機７０に、計数機１２により発行される玉数が印字されたレシートのデータを読み込む機能をもたせ、このレシートに記録された玉数を貯玉と同様に利用料として適用させる。
（２）計数機１２により計数されたパチンコ玉の数量データ（玉数）をデビット子機７０に送信する機能をもたせ、デビット子機７０では、計数機１２から直接通知された一般遊技客が獲得した玉数を貯玉と同様に利用料として適用させる。
（３）デビット子機７０自体に、一般遊技客が獲得したパチンコ玉の玉数を計数する小型の計数機を設け、この計数機により計数された玉数を利用料として扱う。但し、この場合の計数機は、例えば、遊技店に設置されている自動販売機に据置されている飲料物（缶ジュース等）と交換するときに使用される計数機などと同様の少量の玉数（１００個程度）を計数可能な計数機とする。
【０１００】
以上のように、会員カードによる貯玉或いはサービスポイントなどの特典を所有しない一般遊技客であっても、遊技により獲得した玉数に応じて、この玉数を利用料として支払うことが可能となり、もって、手持ちに現金がない一般遊技客のデビットカードによる利用時の利便性を向上することができる。
【０１０１】
【発明の効果】
以上説明したように、請求項１に係る発明によれば、デビットカードを用いてデビット決済をおこなう第一決済手段と、会員用記録媒体に記録された有価価値に相当するデータをデビット決済にともなう利用料として対応可能な第二決済手段とを備えたデビット利用料徴収システムであって、前記第一決済手段によるデビット決済時の利用料は、前記第二決済手段により利用料として対応付けられる有価価値に相当するデータとして用いるので、デビット決済時に徴収される利用料を口座（現金）による引き落としではなく、有価価値に相当するデータからでも支払うことができるため、デビットカードによる利便性を向上することができる。また、遊技店では、デビット決済時の利用料を設定することができるため、遊技店にとっての金銭的負担を軽減することができるという効果を奏する。
【０１０２】
また、請求項２に係る発明によれば、請求項１に記載の発明において、有価価値に相当するデータは、会員が所有する貯玉やサービスポイントとすることができるので、デビットカードによる利便性を向上することができるうえ、会員が所有する貯玉やサービスポイントが少量であっても、利用料として利用できるという効果を奏する。
【０１０３】
また、請求項３に係る発明によれば、会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、前記会員用記録媒体には、会員情報として会員が獲得した貯玉データ或いはサービスポイントが記録されるとともに、前記デビット処理装置は、前記貯玉データ或いはサービスポイントを利用料として適用可能な対応付け手段を備えるので、デビット決済時に徴収される利用料を口座（現金）による引き落としではなく、貯玉やサービスポイントからでも支払うことができるため、デビットカードによる利便性を向上することができる。また、遊技店では、デビット決済時の利用料を設定することができるため、遊技店にとっての金銭的負担を軽減することができるという効果を奏する。
【０１０４】
また、請求項４に記載の発明によれば、請求項３に記載の発明において、前記対応付け手段により利用料として適用する貯玉データ或いはサービスポイントは、利用料の一部または全部に対して適用されるので、デビット決済時に徴収される利用料を口座（現金）による引き落としではなく、貯玉やサービスポイントからでも支払うことができるため、デビットカードによる利便性を向上することができる。
【０１０５】
また、請求項５に係る発明によれば、請求項３または４に記載の発明において、前記対応付け手段は、利用料を貯玉データ或いはサービスポイントに応じて利用料を減算する機能を備えるので、デビット決済時に徴収される利用料を口座（現金）による引き落としではなく、貯玉やサービスポイントからでも支払うことができるため、デビットカードによる利便性を向上することができるという効果を奏する。
【０１０６】
また、請求項６に係る発明によれば、会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、前記計数機は、前記遊技媒体の総数を数量データとして印字するレシート発行機能を備え、前記デビット処理装置は、前記レシートに印字された数量データを読み取るとともに、取得した数量データを利用料として適用可能とする機能を備えるので、会員カードによる貯玉或いはサービスポイントなどの特典を所有しない一般遊技客であっても、遊技により獲得した玉数に応じて、この玉数を利用料として支払うことが可能となり、もって、手持ちに現金がない一般遊技客のデビットカードによる利用時の利便性を向上することができるという効果を奏する。
【０１０７】
また、請求項７に係る発明によれば、会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、前記計数機は、前記遊技媒体の総数を数量データとして記録媒体に記録する計数記録機能を備え、前記デビット処理装置は、前記記録媒体に記録された数量データを読み取るとともに、当該取得した数量データを任意の識別番号に関連付けて利用料として適用可能とする機能を備えるので、会員カードによる貯玉或いはサービスポイントなどの特典を所有しない一般遊技客であっても、遊技により獲得した玉数に応じて、この玉数を利用料として支払うことが可能となり、もって、手持ちに現金がない一般遊技客のデビットカードによる利用時の利便性を高めることができるという効果を奏する。
【０１０８】
また、請求項８に係る発明によれば、会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機とを備えたデビット利用料徴収システムであって、前記遊技媒体の総数を数量データとして前記デビット決済処理装置に対して通信する通信機能を備え、前記デビット決済処理装置は、前記計数機から通信により取得した数量データを利用料として適用可能とする機能を備えるので、会員カードによる貯玉或いはサービスポイントなどの特典を所有しない一般遊技客であっても、遊技により獲得した玉数に応じて、この玉数を利用料として支払うことが可能となり、もって、手持ちに現金がない一般遊技客のデビットカードによる利用時の利便性を高め向上することができるという効果を奏する。
【０１０９】
また、請求項９に係る発明によれば、会員用記録媒体の識別ＩＤに関連付けて記録した会員情報を管理する会員用記録媒体管理装置と、デビットカードの受け入れ時に、デビット決済に係わるデビット決済処理をおこなうとともに、前記識別ＩＤに関連付けられた会員情報を取得可能なデビット決済処理装置と、デビット決済処理装置の利用時に遊技客に対して徴収する利用料を設定する利用料設定手段と、記録媒体の発行をおこなう記録媒体発行機と、当該記録媒体を受け入れて遊技媒体の貸し出しをおこなう遊技媒体貸出装置と、会員或いは一般遊技客が獲得した遊技媒体の計数をおこなう計数機と、を備えたデビット利用料徴収システムであって、前記デビット処理装置は、前記遊技媒体の総数を数量データとして計数する計数機能を備えるとともに、取得した数量データを利用料として適用可能とする機能を備えるので、会員カードによる貯玉或いはサービスポイントなどの特典を所有しない一般遊技客であっても、遊技により獲得した玉数に応じて、この玉数を利用料として支払うことが可能となり、もって、手持ちに現金がない一般遊技客のデビットカードによる利用時の利便性を高め向上することができるという効果を奏する。
【図面の簡単な説明】
【図１】本発明の実施の形態であるデビット利用料徴収システムの概略を示す全体構成図である。
【図２】プリペイドカード管理ＴＣ（ターミナルコントローラ）の内部構成を示す機能ブロック図である。
【図３】プリペイドカード管理テーブルの内部構成を示す図表である。
【図４】会員管理ＴＣ（ターミナルコントローラ）の内部構成を示す機能ブロック図である。
【図５】会員管理テーブルの内部構成を示す図表である。
【図６】本実施の形態に係わる情報処理センタ、デビット子機、カード発行機の概略構成および接続態様を示す説明図である。
【図７】本実施の形態で適用するカード発行機およびデビット子機の外観を示した正面図である。
【図８】本実施の形態で適用するカード発行機およびデビット子機の内部構成を示す機能ブロック図である。
【図９】計数機の内部構成を示した機能ブロック図である。
【図１０】情報処理センタ、デビット子機、カード発行機、プリペイドカード管理ＴＣ、会員管理ＴＣ間で実施される制御処理手順を示すフローチャートである。
【図１１】（ａ）は、表示部に表示されるプリペイドカードの発行金額にともなう対応付け内訳、（ｂ）は、引き落とし先確認の一例をそれぞれ示す図である。
【図１２】表示部に表示される貯玉およびサービスポイントの保有内訳および引き落とし元の選択画面設定の一例を示す図である。
【図１３】表示部に表示されるキャッシュカードの挿入案内ガイダンスの一例を示す図である。
【符号の説明】
１０  プリペイドカード管理ＴＣ
１１  会員管理ＴＣ
１２  計数機
１３ａ、ｂ  ＲＡＭ
１４ａ、ｂ、８８  通信Ｉ／Ｆ部
１５ａ、ｂ  ＣＰＵ
１６ａ、ｂ  ＲＯＭ
１７ａ、ｂ、４９、７６、８６  表示部
１８ａ、ｂ  入出力部
２０  パチンコ機
２３  プリペイドカード管理テーブル
２４  会員管理テーブル
３０  カード処理ユニット
４０  カード発行機
４１  筐体
４２  扉体
４２ａ  ハンディ収容凹部
４２ｂ  補助扉体
４２ｃ  補助錠手段
４３  主錠手段
４４  一般カード挿入／発行口
４５、９２  会員カード挿入／返却口
４６  紙幣挿入／返却口
４７、４８  外部操作入力部（選択ボタン、取消ボタン）
４９、７６  表示部
５０  カード精算機
６０  島コントローラ
７０  デビット子機
７１  筐体
７２  扉体
７４  デビットカード挿入／返却口
７５、９１  レシート排出口
７７  外部操作入力部
７８  内部操作入力部
８０  利用料設定部
８１  対応付け部
８３  制御部
８４、４０１  会員カード処理部
８５  計数処理部
８７  操作入力部
４０２  発行制御部
４０３  一般カード処理部
４０４  紙幣処理部
４０５  紙幣回収箱
４０６  施錠検出センサ
４０７  ハンディ端末入力機
４０８、７０４  第１通信Ｉ／Ｆ部
４０９、７０５  第２通信Ｉ／Ｆ部
７０１  デビットカード処理部
７０２  デビット制御部
７０３  印字部
１０００  公衆回線網
１００１  情報処理センタ
１０１０  ＣＡＦＩＳネットワーク
１０１１  クリアリングセンタ
１０２０  デビットカード発行銀行
１０４０  加盟店銀行
１０６０  カード会社センタ
１０７０  △△銀行
【図１】
2004303046.tif 000003
【図２】
2004303046.tif 000004
【図３】
2004303046.tif 000005
【図４】
2004303046.tif 000006
【図５】
2004303046.tif 000007
【図６】
2004303046.tif 000008
【図７】
2004303046.tif 000009
【図８】
2004303046.tif 000010
【図９】
2004303046.tif 000011
【図１０】
2004303046.tif 000012
【図１１】
2004303046.tif 000013
【図１２】
2004303046.tif 000014
【図１３】
2004303046.tif 000015